(57)【要約】【課題】電子ペーパー等に使用される反射型表示装置に関し、特に尾引きや黒浮きを無くし、品質のよい表示を行なう反射型表示装置を提供するものである。【解決手段】走査電極と信号電極がマトリクス状に配設され、上記走査電極と信号電極の交差部に画素が形成された反射型表示装置であって、上記走査電極の一部を選択状態のリセットライン及び書込みラインと、非選択状態の休止ラインにそれぞれ設定し、上記リセットライン、休止ライン、及び書込みラインをそれぞれシフトさせながら、上記信号電極に画像データを供給し、上記画像データに基づいて所定の表示状態に遷移しない画素の書込みラインを抽出し、抽出した書込みラインに対するスキャン速度を他の書込みラインのスキャン速度に対して異ならせることを特徴とする。【選択図】図１
2011112813.tif 000002
【特許請求の範囲】
【請求項１】
走査電極と信号電極がマトリクス状に配設され、前記走査電極と信号電極の交差部に画素が形成され、
前記走査電極の一部を選択状態のリセットライン及び書込みラインと、非選択状態の休止ラインにそれぞれ設定し、
前記リセットライン、休止ライン、及び書込みラインをそれぞれシフトさせながら、前記信号電極に画像データを供給する反射型表示装置であって、
前記画像データに基づいて所定の表示状態に遷移しない前記画素の書込みラインを抽出する抽出手段と、
前記抽出手段によって抽出された書込みラインに対するスキャン速度を他の書込みラインのスキャン速度と異ならせる制御手段と、
を有することを特徴とする反射型表示装置。
【請求項２】
前記制御手段は、前記抽出手段によって抽出した書込みラインに対するスキャン速度を他の書込みラインのスキャン速度より遅くすることを特徴とする請求項１記載の反射型表示装置。
【請求項３】
前記抽出手段は、前記画像データが前記走査電極に平行な方向に連続する黒表示の画像データを計数し、該計数値が閾値を超えた後白表示の画像データを検出したとき該白表示の画像データの画素の書込みラインを抽出することを特徴とする請求項１、又は２記載の反射型表示装置。
【請求項４】
前記抽出手段は、前記画像データが前記走査電極に平行な方向に連続する白表示の画像データを計数し、該計数値が閾値を超えた後黒表示の画像データを検出したとき該黒表示の画像データの画素の書込みラインを抽出することを特徴とする請求項１、又は２記載の反射型表示装置。
【請求項５】
走査電極と信号電極がマトリクス状に配設され、前記走査電極と信号電極の交差部に画素が形成され、
前記走査電極の一部を選択状態のリセットライン及び書込みラインと、非選択状態の休止ラインにそれぞれ設定し、
前記リセットライン、休止ライン、及び書込みラインをそれぞれシフトさせながら、前記信号電極に画像データを供給する反射型表示装置の駆動方法であって、
前記画像データに基づいて所定の表示状態に遷移しない前記画素の書込みラインを抽出する抽出処理と、
前記抽出処理によって抽出された書込みラインに対するスキャン速度を他の書込みラインのスキャン速度と異ならせる制御処理と、
を行うことを特徴とする駆動方法。
【請求項６】
前記制御処理は、前記抽出処理によって抽出した書込みラインに対するスキャン速度を他の書込みラインのスキャン速度より遅くすることを特徴とする請求項５記載の駆動方法。
【請求項７】
走査電極と信号電極がマトリクス状に配設され、前記走査電極と信号電極の交差部に画素が形成され、
前記走査電極の一部を選択状態のリセットライン及び書込みラインと、非選択状態の休止ラインにそれぞれ設定し、
前記リセットライン、休止ライン、及び書込みラインをそれぞれシフトさせながら、前記信号電極に画像データを供給する駆動部を複数有する表示パネルであって、
前記駆動部は、
前記画像データに基づいて所定の表示状態に遷移しない前記画素の書込みラインを抽出する抽出手段と、
前記抽出手段によって抽出した書込みラインに対するスキャン速度を他の書込みラインのスキャン速度と異ならせる制御手段と、
を有することを特徴とする表示パネル。
【発明の詳細な説明】
【技術分野】
【０００１】
本発明は反射型表示装置に関し、特に電子ペーパー等に使用される反射型表示装置に関する。
【背景技術】
【０００２】
近年、各企業や大学等において電子ペーパーの開発が盛んに進められている。この電子ペーパーの技術が期待される分野として、電子書籍を筆頭として、モバイル端末のサブディスプレイやＩＣカード等の表示部があり、更に電子ペーパーを使用した多用な応用電子機器の提案も行われている。
【０００３】
ここで、電子ペーパーの有力な表示方式の1つに、コレステリック液晶を使用する提案がある。このコレステリック液晶は、半永久的な表示保持が可能であり、鮮やかなカラー表示や、高コントラスト、高解像度という優れた特徴を有する。
【０００４】
コレステリック液晶は、ネマティック液晶にキラル性の添加剤（カイラル材とも称される）を比較的多く（例えば、数１０％）添加することにより、ネマティック液晶の分子にらせん状のコレステリック相を形成させた液晶である。このようなコレステリック液晶は、その液晶分子の配向状態によって表示を制御することができる。例えば、図１３（ａ）、（ｂ）に示すように、コレステリック液晶には入射光を反射するプレーナ状態と、入射光を透過するフォーカルコニック状態があり、無電界下でも安定して存在する。
【０００５】
同図（ａ）に示すように、プレーナ状態時、液晶分子のらせんピッチに応じた波長の光を反射する。この場合、らせんピッチはプレーナ状態の液晶分子の１回転長であり、反射が最大となる波長λは、液晶の平均屈折率をｎとし、らせんピッチをｐとすると、以下の計算式で表される。
λ＝ｎ・ｐ
【０００６】
また、液晶層と別に光吸収層を設けることで、同図（ｂ）に示すフォーカルコニック状態時、黒色を表示させることができる。
【０００７】
同図（ｃ）、（ｄ）は、コレステリック液晶の状態変化を説明する図である。例えば、同図（ｃ）において、プレーナ状態又はフォーカルコニック状態の液晶に強い電界を与えると、液晶分子のらせん構造は完全に解け、全ての分子が電界の向きに従うホメオトロピック状態になる。次に、このホメオトロピック状態から急激に電界をゼロにすると、液晶のらせん軸は電極に垂直になり、らせんピッチに応じた光を選択的に反射する上記プレーナ状態となる。
【０００８】
一方、同図（ｄ）に示すように、液晶分子のらせん構造が解けない程度の弱い電界の形成後の電界除去、或いは強い電界を掛け緩やかに電界を除去した場合、液晶のらせん軸は電極に平行になり、入射光を透過するフォーカルコニック状態になる。
また、中間的な強さの電界を与え、急激に電界を除去すると、プレーナ状態とフォーカルコニック状態が混在し、中間調の表示が可能となる。以上の応答特性を利用して情報の表示を行う。
【０００９】
特許文献１はコレステリック液晶を用いた表示素子の駆動方法を提案する発明である。この発明は、書換え期間よりも先にリセット期間と休止期間を設け、例えばリセット期間として数本〜数１０本のラインをまとめて帯状に選択し、選択されたライン内の各画素には、書換えラインと同じ電圧が印加される。また、リセット期間の後に位置する休止期間には、スキャンが行われない非選択画素と同じ電圧を印加する。
【先行技術文献】
【特許文献】
【００１０】
【特許文献１】特開２００８−３３３３８号公報
【発明の概要】
【発明が解決しようとする課題】
【００１１】
しかしながら、上記表示素子の駆動方法では、以下の問題がある。すなわち、本来ならば白表示になる部分が白表示にならない、又は白表示が不充分な現象（以下、尾引きとして示す）と、本来ならば黒表示になる部分が黒表示にならない、又は黒表示が不充分な現象（以下、黒浮きとして示す）が生じることである。
【００１２】
例えば、図１４に示すａは尾引きの例であり、白地に「ＦＪ」の黒文字を表示する場合、「Ｆ」の縦線の下は、本来ならば正常パターンに示すように白地に表示されるはずであるが、尾引きが発生し、縦線の黒文字を引きずるように、薄黒く滲んだ表示となる。また、「Ｊ」の縦線の下も、本来ならば正常パターンに示すように白地に表示されるはずであるが、黒文字を引きずるように、薄黒く滲んだ表示となる。
【００１３】
一方、図１４に示すｂは黒浮きの例であり、上記「ＦＪ」の文字の一部が、本来ならば黒地に表示されるべき部分が、充分な黒地に表示されず、不充分な黒表示となる。
そこで、本発明は黒表示が連続した後の白表示に尾引きを発生させることがなく、また白表示が連続した後の黒表示に黒浮きを発生させることがない、反射型表示装置を提供するものである。
【課題を解決するための手段】
【００１４】
上記課題は、走査電極と信号電極がマトリクス状に配設され、上記走査電極と信号電極の交差部に画素が形成された反射型表示装置において、上記走査電極の一部を選択状態のリセットライン及び書込みラインと、非選択状態の休止ラインにそれぞれ設定し、上記リセットライン、休止ライン、及び書込みラインをそれぞれシフトさせながら、上記信号電極に画像データを供給し、上記画像データに基づいて所定の表示状態に遷移しない画素の書込みラインを抽出し、抽出した書込みラインに対するスキャン速度を他の書込みラインのスキャン速度に対して異ならせ、上記書込みラインの画素に対して表示状態の遷移に必要な時間を与え、尾引きや黒浮きの発生を防止する。
【発明の効果】
【００１５】
上記課題は本発明によれば、尾引きや黒浮きを無くし、品質のよい表示を行なう反射型表示装置を提供するものである。
【図面の簡単な説明】
【００１６】
【図１】本実施形態の反射型表示装置の回路構成を説明する図である。
【図２】表示素子の断面構成を示す図である。
【図３】(ａ)〜（ｃ）は、コレステリック液晶の応答特性を印加電圧に対する反射率の関係として示す図である。
【図４】図３（ａ）に示す駆動波形の電圧設定例を示す図である。
【図５】図３（ｂ）、（ｃ）に示す中間調表示の電圧設定例を示す図である。
【図６】表示素子の駆動例を示す図である。
【図７】表示素子の駆動例を説明するタイムチャートである。
【図８】尾引きが発生する理由を説明する図である。
【図９】尾引きや黒浮きの予測方法を説明する概念図である。
【図１０】本実施形態の駆動処理を説明する図である。
【図１１】他の実施形態の駆動処理を説明するフローチャートである。
【図１２】表示素子をＲＧＢの積層構造とした表示パネルの概念図である。
【図１３】(ａ)はコレステリック液晶のプレーナ状態を示す概念図であり、（ｂ）はコレステリック液晶のフォーカルコニック状態を示す概念図であり、（ｃ），（ｄ）はコレステリック液晶の状態変化を示す概念図である。
【図１４】尾引きと黒浮きの状態を示す図である。
【発明を実施するための形態】
【００１７】
以下、本発明の実施の形態を図面に基づいて説明する。
図１は、本実施形態の反射型表示装置の回路構成を説明する図である。
同図において、本例の反射型表示装置１は表示素子２、表示素子２をダイナミック駆動するコモンドライバ３とセグメントドライバ４、このコモンドライバ３とセグメントドライバ４に各種制御信号を供給する制御回路５、コモンドライバ３とセグメントドライバ４に電源供給を行う電源部６、及び源振クロック回路７と分周回路８で構成されている。また、制御回路５にはラインメモリ９を介して画像データ１０が供給され、制御回路５に設けられたカウンタ５ａによって後述する画像データのカウント処理が行われる。また、上記制御回路５及びカウンタ５ａは抽出手段の一例として挙げられ、制御回路５及びコモンドライバ３とセグメントドライバ４は制御手段の一例として挙げられる。
【００１８】
尚、上記電源部６は電源１１、昇圧部１２、電圧切替部１３、及び電圧安定部１４で構成され、電源１１に供給される３〜５Ｖの電圧は昇圧部１２によって、例えば３６Ｖ〜４０Ｖに昇圧される。昇圧部１２は、ＤＣ−ＤＣコンバータ等の昇圧レギュレータで構成され、電圧切替部１３において後述する中間調電圧との切替え処理が行われ、例えばオペアンプ等で構成される電圧安定部１４を介して上記コモンドライバ３及びセグメントドライバ４に駆動電圧を印加する。
【００１９】
また、源振クロック回路７にも電源１１から電源供給が行われ、源振クロック回路７から基準となるクロック信号が分周回路８に出力される。分周回路８では源振クロック回路７から供給された基準クロックを分周し、制御回路５に出力する。この分周クロックは後述する階調制御に使用される。
【００２０】
制御回路５は、コモンドライバ３及びセグメントドライバ４に供給する各種信号を生成する。例えば、同図に示すスキャン/データモード信号、データ取込みクロック、フレーム開始信号、パルス極性制御信号、データラッチ・スキャンシフト信号、ドライバ出力オフ信号を生成し、コモンドライバ３及びセグメントドライバ４に出力する。また、制御回路５に供給された画像データも後述するタイミングでセグメントドライバ４に供給される。
【００２１】
上記フレーム開始信号はコモンドライバ３に出力され、例えば１０２４×７６８画素で構成される表示素子２に対する表示処理の開始指示を行う。また、スキャン/データモード信号は、コモンドライバ３又はセグメントドライバ４の選択処理を行い、コモンドライバ３に出力されると共に、インバータ１６を介してセグメントドライバ４にも出力される。
【００２２】
データ取込みクロックはセグメントドライバ４に出力され、このデータ取込みクロックに同期して制御回路５から前述の画像データを、例えば４ビット毎にセグメントドライバ４に入力する。この画像データは、セグメントドライバ４にシリアルに入力し、データラッチ・スキャンシフト信号の出力に同期してセグメントドライバ４内の不図示のラッチ回路にラッチされる。
【００２３】
また、パルス極性制御信号はコモンドライバ３及びセグメントドライバ４から表示素子２に供給される電圧の極性切替えを制御する。また、ドライバ出力オフ信号は、表示素子２への画像データの書き込み処理が完了した後、コモンドライバ３及びセグメントドライバ４への電源供給を停止させる信号である。
【００２４】
図２は、上記表示素子２の断面構成を示す。表示素子２は、透光性のフィルム基板２０、２１、ＩＴＯ電極２２、２３、液晶混合物２４、液晶混合物２４を封止するシール材２５、２６、及び吸収層２７で構成されている。また、ＩＴＯ電極２２、２３には駆動回路２８が接続され、駆動回路２８からパルス状の駆動信号（駆動電圧）がＩＴＯ電極２２、２３に印加される。
【００２５】
ＩＴＯ電極２２、２３は、フィルム基板２０、２１に垂直な方向から見て互いに交差するように向かい合わせに配設されている。また、光を入射させる側とは反対側のフィルム基板２１の裏面には、可視光を吸収するための吸収層２７が配設されている。
【００２６】
上記フィルム基板２０、２１としては、ＰＥＴ（ポリエチレンテレフタレート）やＰＣ（ポリカーボネート）等のフィルム基板を使用することができる。また、フィルム基板以外にガラス基板を使用することもできる。また、ＩＴＯ電極２２、２３はIndium  Tin  Oxide（ＩＴＯ：インジウム錫酸化物）で構成されるが、Indium  Zic  Oxide（ＩＺＯ：インジウム亜鉛酸化物）等の透明導電膜を使用してもよい。
【００２７】
また、本実施形態で使用する液晶混合物２４は、室温でコレステリック相を示すコレステリック液晶組成物であり、これらの材料やその組み合わせについては後述する。
【００２８】
図３は、上記コレステリック液晶の応答特性を印加電圧に対する反射率の関係として示す図である。例えば、同図（ａ）に示すように、初期状態がプレーナ状態である場合、例えば数１０ｍｓのパルス電圧をある範囲に上げるとフォーカルコニック状態の駆動帯域となり、更にパルス電圧を上げると再度プレーナ状態の駆動帯域となる。また、初期状態がフォーカルコニック状態である場合、パルス電圧を上げるにつれて次第にプレーナ状態の駆動帯域となる。尚、初期状態がプレーナ状態、フォーカルコニック状態の何れにもよらず、必ずプレーナ状態になる電圧を、本例では±３８Ｖに設定する。
【００２９】
また、同図（ｂ）、（ｃ）に示すように、上記電圧が低い、或いは周期が短いパルス電圧を印加すると、その応答性は高電圧側にシフトする。例えば、オン、オフ電圧が±２４Ｖと±１４Ｖで、周期２ｍｓと１ｍｓの駆動電圧を印加し、初期状態がプレーナ状態である場合、周期２ｍｓ（同図（ｂ））と１ｍｓ（同図（ｃ））では、何れも±１４Ｖでは応答性を示さず、プレーナ状態を維持する。一方、±２４Ｖでは、周期２ｍｓと１ｍｓの双方で応答性を示し、反射率が少し低下した中間調となる。この反射率の低下は周期１ｍｓより、周期２ｍｓの方が大きい。すなわち、２ｍｓの方が低い階調となる。
【００３０】
図４は、上記図３（ａ）に示す駆動波形の電圧設定例を示す。尚、図４に示すＯＮ−ＳＥＧは前述のセグメントドライバ４をオン駆動する電圧を示し、前半が３８Ｖであり、後半０Ｖである駆動電圧である。また、ＯＦＦ−ＳＥＧはセグメントドライバ４をオフ駆動する電圧を示し、前半が２６Ｖであり、後半が１２Ｖの駆動電圧である。また、ＯＮ−ＣＯＭは前述のコモンドライバ３をオン駆動する電圧を示し、前半が０Ｖであり、後半が３８Ｖの駆動電圧である。さらに、ＯＦＦ−ＣＯＭはコモンドライバ３をオフ駆動する電圧を示し、前半が３２Ｖであり、後半が６Ｖの駆動電圧である。
【００３１】
したがって、上記各場合において設定された電圧が印加される画素は、コモンドライバ３とセグメントドライバ４が交差した位置にあり、コモンドライバ３とセグメントドライバ４に供給される差電圧が印加される。すなわち、図４に示すように、例えば選択ラインのオン駆動の画素（＝白描画）には前半３８Ｖが印加され、後半−３８Ｖが印加される。また、選択ラインであるがオフ駆動の画素（＝黒描画）には前半２６Ｖの電圧が印加され、後半−２６Ｖの電圧が印加される。一方、非選択ラインのオン駆動の画素には前半６Ｖが印加され、後半−６Ｖが印加され、オフ駆動の画素には前半−６Ｖが印加され、後半６Ｖが印加され、前の表示状態を維持する。
【００３２】
一方、図５は前述の図３（ｂ）、（ｃ）に示す中間調表示の電圧設定例を示す図である。この電圧設定例においても、ＯＮ−ＳＥＧ、ＯＦＦ−ＳＥＧ、ＯＮ−ＣＯＭ、ＯＦＦ−ＣＯＭの意味は前述と同様であり、上記各場合において設定された電圧が印加される画素には、コモンドライバ３とセグメントドライバ４に供給される差電圧が印加され、具体的には同図に示す電圧が印加される。
【００３３】
尚、上記図４と図５の電圧供給の切り替えは、前述の図１に示す電圧切替部１３によって行なわれる。
【００３４】
図６は上記駆動電圧を印加し、画像データに基づく表示を表示素子２に行う駆動例を示す図であり、例えば２０ラインのリセットラインを設け、同時に１ラインのデータの書き込み処理を行う動作をライン数だけ繰り返して画面書き換えを行うものである。また、同図において、画面の下半分は前回表示分の画像を示し、上半分は新規表示の画像を示す。本例では一番上のラインから書き込み処理を開始し、書き込みライン（書込先頭ライン）がほぼ画面の中央付近に達している状態を示す。尚、同図に示す休止ラインは１ラインである。
【００３５】
図７は、上記場合の処理動作を説明するタイムチャートである。図７に示す１ライン目を、例えば図６の書込先頭ラインとすると、１ライン目（書込先頭ライン）の駆動の際、既に１ライン目（書込先頭ライン）はリセット区間において２０回の電圧印加が行なわれており、休止区間を経て書込先頭ラインにおいて駆動電圧が印加される。すなわち、リセット区間において、セレクト信号（Ｅｉｏ信号）とシフト信号（Ｌｐ信号）によって選択されたラインにおいて、２０回の前駆動が行なわれた後、先頭ラインに達し、画像データに基づく書き込み処理が行なわれる。
【００３６】
また、２ライン目についても同様に、２ライン目の駆動の際、リセット区間において２０回の前駆動が行なわれており、休止区間を経て画像データに基づく書き込み処理が行なわれる。以下、３ライン目、４ライン目、・・・の駆動の際にも、リセット区間において既に前駆動が行なわれており、休止区間を経て画像データに基づく書き込み処理が行なわれる。
【００３７】
次に、上記駆動処理において、尾引きと黒浮きを好適に改善する処理を以下で説明する。
図８は、尾引きが発生する理由を説明する図である。この尾引きの発生原因は、「白ドットが介入した後の画素」と「黒ドットのみが連続した後の画素」の電圧応答特性の相違である。すなわち、「黒ドットのみが連続した後の画素」は、白描画に必要となるホメオトロピック状態を全く経由しないため、前述の図３に示す電圧応答特性が高圧側にシフトし、書換え期間に通常の白描画電圧を印加しても、本来の白の明るさに達しないことが原因である。
【００３８】
一方、黒ドットが連続せず、途中で白ドットが介在する場合には、白ドットにするための描画電圧（＝ホメオトロピック状態への遷移電圧）が途中に入るため、電圧応答特性は高圧側にシフトせず、所定の白表示を行うことができる。
【００３９】
また、黒浮きは上記尾引きとは正反対の現象であり、「白ドットのみが連続した後の画素」に出現する。すなわち、白ドットのみが連続した場合、書換え期間まではホメオトロピック状態をずっと維持するため、最後の描画時のみ黒ドットの描画電圧（＝フォーカルコニック状態への遷移電圧）が印加されても、中途半端な黒表示にしかならず、浮いたような黒表示になる。
【００４０】
一方、黒ドットがある程度続き、最後の描画時も黒ドットの描画電圧となった場合、充分な飽和度のフォーカルコニック状態となり、高い濃度の黒表示となる。
【００４１】
以上から、尾引きは黒ドットばかりが連続した直後の白表示に現れ、黒浮きは白ドットばかりが連続した直後の黒表示に現れる。したがって、本例では尾引きや黒浮きが出現するラインを予測して抽出し、そのラインを駆動する際、スキャン速度を異ならせることで、充分な白表示、及び黒表示を可能とするものである。
【００４２】
図９は本実施形態の概要を説明する図であり、尾引きや黒浮きが出現するラインを予測し、そのラインを駆動する際、スキャン速度を低速に切り換え、尾引きや黒浮きの発生を防止することを説明する図である。
【００４３】
また、本例で使用するスキャン速度としては、例えば通常７ｍｓ/ラインのスキャン速度であるとすれば、尾引きや黒浮きが出現すると予測されるラインのスキャン速度を１０ｍｓ/ラインとする。
【００４４】
次に、尾引きや黒浮きの予測方法を図１０を使用して説明する。尚、本例では尾引きの発生条件を「黒ドットのみが２０ドット以上連続した後の白表示」とし、黒浮きの発生条件を「白ドットのみが２０ドット以上連続した後の黒表示」として説明する。
【００４５】
また、制御回路５には前述のようにカウンタ５ａが設けられており、カウンタ５ａは画像データの全垂直ラインに対する黒ドットの連続数、及び白ドットの連続数をカウントする。また、このカウンタ５ａには閾値（上記２０ドット）が設定され、例えば黒ドットが閾値以上続き、その後白ドットとなる場合、それ以降の数ラインは尾引きが生じるものと予測し、当該ラインのスキャンを低速で行なう。
【００４６】
同様に、例えば白ドットが閾値以上続き、その後黒ドットとなる場合、それ以降の数ラインは黒浮きが生じるものと予測し、当該ラインのスキャンを低速で行なう。
【００４７】
また、上記低速スキャンの指示は、例えばフラグを設定することによって行い、フラグが設定されたラインのスキャン速度を低速で行うように制御する。尚、白ドット若しくは黒ドットの連続数が閾値（上記２０ドット）に達する前に画像データが白ドットから黒ドット、又は黒ドットから白ドットに変化した場合には、カウンタ５ａのカウント値をリセットし、再度カウント処理を行う。
【００４８】
尚、図１０に示す例は、黒ドットが閾値以上続き、その後白ドットとなる場合であり、先ずコモンドライバ３の１ライン目に着目し（同図に示すａ．）、黒ドットである場合、そのセグメントドライバ４の座標のカウンタ値をインクリメント（＋１）する（同図に示すｂ．）。
【００４９】
次に、コモンドライバ３の２ライン目に着目し（同図に示すｃ．）、黒ドットである場合、そのセグメントドライバ４の座標のカウンタ値をインクリメント（＋１）する（同図に示すｄ．）。以下、上記処理を繰り返し、例えばコモンドライバ３の２０ライン目においても（同図に示すｅ．）、黒ドットである場合、そのセグメントドライバ４の座標のカウンタ値をインクリメント（＋１）する（同図に示すｆ．）。
【００５０】
その後、上記処理を繰り返し、カウンタ値が２０になり、更に次の画素が白表示に変わった場合、当該画素が位置するラインのスキャンを低速で行なう（同図に示すｇ．）。
この処理によって、例えば当該ラインへの電圧印加が充分な時間行なわれ、本来の白の明るさを表示することができる。その後、上記処理を繰り返し（同図に示すｈ．）、尾引きの発生を防止する。
【００５１】
尚、図１０には黒浮きの場合について記載されていないが、上記とは逆にコモンドライバ３の１ライン目から順次白ドットであるセグメントドライバ４の座標のカウンタ値をインクリメント（＋１）し、カウンタ値が２０になり、更に次の画素が黒ドットに変わった場合、当該画素が位置するラインのスキャンを低速で行なうことによって、黒浮きの発生を防止することができる。
【００５２】
図１１は、本発明の他の実施形態を説明するフローチャートである。
尚、同図において、W_CONTは白ドットカウンタを示し、Bk_CONTは黒ドットカウンタを示し、Pixelは画素値を示し、“１”は白、“０”は黒を示す。また、XGAは前述の表示素子２に形成された画素（1024×768画素）の例示であり、ScanSpeed[Y]は前述のスキャン/データモード信号の出力タイミングであり、制御回路５によって生成される。また、本実施形態は閾値（例えば、上記２０ドット）以上黒が連続した場合、又は閾値以上白が連続した場合、スキャン速度を遅らせ、尾引きや黒浮きの発生を防止する構成である。以下、具体的に説明する。
【００５３】
先ず、前述の制御回路５からフレーム開始信号が出力され、表示素子２への画像データの表示指示が行われる。尚、Ｘは水平位置を示し、Ｙは垂直位置を示し、初期時W_CONT[X]は０、Bk_CONT[X]も０に設定されている。
【００５４】
上記フレーム開始信号が出力されると、垂直位置Ｙに“１”が設定され、水平位置Ｘに“１”が設定される（ステップ（以下、Ｓで示す）１、２）。尚、Ｓ１に示すＹ＝１，７６８，１は、垂直位置Ｙは１から７６８ドットまで変化し、最初の垂直位置Ｙとして“１”が設定されることを示し、Ｓ２に示すＸ＝１，１０２４，１は、水平位置Ｘは１から１０２４ドットまで変化し、最初の水平位置Ｘとして“１”が設定されることを示す。
【００５５】
次に、Pixel[X、Y]の画像データが１であるか判断する（Ｓ３）。この判断において、Pixel[1,1]の画像データが１であれば（Ｓ３がＹＥＳ）、白ドットカウンタW_CONT[X]に１をプラスする（Ｓ４）。一方、Pixel[1,1]の画像データが０であれば（Ｓ３がＮＯ）、黒ドットカウンタBk_CONT[X]に１をプラスする（Ｓ５）。
【００５６】
次に、白ドットカウンタW_CONT[X]のカウント値が“２０”に達したか判断する（Ｓ６）。また、黒ドットカウンタBk_CONT[X]のカウント値が“２０”に達したか判断する（Ｓ７）。上記判断において、何れのカウンタ値も“２０”に達していなければ、スキャンスピード（ScanSpeed[Y]）を低速にするか否かの判断（Ｓ８）を行い、最初の処理では判断（Ｓ８）はＮＯであり、表示素子２のスキャン速度は高速であり、制御回路５から通常のタイミングでスキャン/データモード信号を出力する（Ｓ９）。
【００５７】
次に、処理（Ｓ１０）を実行する。この処理は、上記水平方向への＋１処理を繰り返し、Pixel[X＋1、Y]の画像データが１であるか判断し、画像データが１であれば対応するカウンタのカウント値を＋１する。すなわち、上記処理（Ｓ２〜Ｓ５）を実行し、対応するカウンタのカウント値を＋１する処理である。
【００５８】
尚、上記カウンタ５ａは水平方向の画素数に対応してそれぞれ個別にカウント処理を行う構成であり、垂直方向に１ライン目の処理が終了するとカウンタ５ａには１ライン目の白ドット、又は黒ドットのカウント値がセットされる。
【００５９】
次に、処理（Ｓ１１）を実行し、垂直方向に＋１し、上記処理を繰り返す。すなわち、２ライン目に対して、水平方向への上記処理（Ｓ１０）を行い、画像データが１であれば対応するカウンタのカウント値を＋１する。
【００６０】
その後、３ライン目、４ライン目、・・・に対して上記処理を繰り返し（Ｓ１０、Ｓ１１）、対応する白ドットカウンタ、又は白ドットカウンタを＋１する（Ｓ４、Ｓ５）。そして、例えば白ドットカウンタのカウント値が“２０”に達すると（Ｓ６がＹＥＳ）、白ドットカウンタのカウント値をリセットし（“０”に戻し）（Ｓ１２）、スキャン速度を低下させる（Ｓ１４）。
【００６１】
同様に、黒ドットカウンタのカウント値が“２０”に達した場合にも（Ｓ７がＹＥＳ）、黒ドットカウンタのカウント値をリセットし（“０”に戻し）（Ｓ１３）、スキャン速度を低下させる（Ｓ１４）。
【００６２】
すなわち、制御回路５はカウンタの閾値（上記２０ドット）以上の黒ドットが連続した場合、又は閾値（上記２０ドット）以上の白ドットが連続した場合、スキャン/データモード信号の出力タイミングを遅らせ（ScanSpeed[Y]）、尾引きや黒浮きの発生を防止する。
【００６３】
さらに、本実施形態では、続く２ラインについても低速スキャンとすることによって（ScanSpeed[Y＋1]、[Y＋2]）確実に前の履歴を打ち消し、尾引きや黒浮きの発生を防止する。
【００６４】
また、白ドットカウンタ、又は黒ドットカウンタのカウント値が“２０”に達しない場合でも、判断（Ｓ８）において、スキャン速度を低速にする場合は、例えばカウント値がリセットされた後、閾値に達する前、複数ライン分についてスキャン速度を低速にする場合である。
【００６５】
また、スキャン速度については、例えば通常７ｍｓ/ラインの速度であれば、尾引きや黒浮きが出現するラインは１０ｍｓ/ラインのスキャン速度に制御する。但し、このスキャン速度に限定されるわけではなく、上記設定する閾値等との関係に対応して任意のスキャン速度の設定が可能である。例えば、通常の上記スキャン速度に対して４０ｍｓ/ラインや５０ｍｓ/ラインのスキャン速度に制御することも可能である。
【００６６】
尚、本実施形態の表示素子２において、基板間ギャップを均一に保持するため、スペーサが設ける構成としてもよい。このスペーサとしては、樹脂製又は無機酸化物製の球体を例示できる。また、表面に熱可塑性の樹脂がコーティングされている固着スペーサを用いてもよい。
【００６７】
また、上記スペーサによって形成されるギャップは４〜６μｍの範囲が適正である。
これより小さいと反射率が低下して暗い表示となり、高い閾値急峻性が期待できない。一方、これより大きいと高い閾値急峻性は保持できるが、駆動電圧が上昇して汎用部品による駆動が困難になる。
【００６８】
また、前述の液晶混合物２４は、ネマティック液晶混合物にカイラル材を１０〜４０ｗｔ％添加したコレステリック液晶である。ここで、カイラル材の添加量はネマティック液晶成分とカイラル材の合計量を１００ｗｔ％としたときの値である。
【００６９】
ネマティック液晶としては、従来公知の各種の材料を用いることができるが、誘電率異方性（Δε）が１５〜２５の範囲が適正範囲である。誘電率異方性が１５以下であると、駆動電圧が全体的に高くなり、駆動回路に汎用部品の適用が困難になる。
【００７０】
また、屈折率異方性（Δn）は、０．１８〜０．２６程度が好ましい。この範囲より小さいとプレーナ状態の反射率が低くなり、この範囲より大きいとフォーカルコニック状態での散乱反射が大きくなる他、粘度も高くなり、応答速度が低下する。
【００７１】
一方、図１２は上記表示素子２をＲＧＢの積層構造とした表示パネルの概念図を示す。青（Blue）、緑（Green）、赤（Red）の各表示素子は、前述と同様、基板（透光性のフィルム基板）２０、２１、ＩＴＯ電極２２、２３、液晶混合物２４、及び制御回路２８で構成されている。すなわち、青（Blue）の表示素子は基板２０Ｂ、２１Ｂ、ＩＴＯ電極２２Ｂ、２３Ｂ、液晶混合物２４Ｂ、及び制御回路２８Ｂで構成され、緑（Green）の表示素子は基板２０Ｇ、２１Ｇ、ＩＴＯ電極２２Ｇ、２３Ｇ、液晶混合物２４Ｇ、及び制御回路２８Ｇで構成され、赤（Red）の表示素子は基板２０Ｒ、２１Ｒ、ＩＴＯ電極２２Ｒ、２３Ｒ、液晶混合物２４Ｒ、及び制御回路２８Ｒで構成されている。
【００７２】
このように表示素子をＲＧＢ３層を積層して構成することによって、良好なカラー表示が可能となる。例えば、各表示素子を１６階調で制御する場合、４０９６階調のカラー表示を行うことが可能な表示パネルを作成することができる。
【００７３】
尚、ＲＧＢそれぞれの入力画素値は異なるため、上記駆動制御はＲＧＢ個別に行う。また、ＲＧＢのパネル構造が若干異なるため、尾引きや黒浮きの発生し易さはＲＧＢで異なる場合がある。その場合、書換え時間の増加を最小限にするため、尾引きは黒浮きが軽微な色は本実施形態の処理を行わず、それらが重篤な色にだけ優先的に適用してもよい。
【００７４】
以上の実施形態に関し、更に以下の付記を開示する。
（付記１）
走査電極と信号電極がマトリクス状に配設され、前記走査電極と信号電極の交差部に画素が形成され、
前記走査電極の一部を選択状態のリセットライン及び書込みラインと、非選択状態の休止ラインにそれぞれ設定し、
前記リセットライン、休止ライン、及び書込みラインをそれぞれシフトさせながら、前記信号電極に画像データを供給する反射型表示装置であって、
前記画像データに基づいて所定の表示状態に遷移しない前記画素の書込みラインを抽出する抽出手段と、
前記抽出手段によって抽出した書込みラインに対するスキャン速度を他の書込みラインのスキャン速度と異ならせる制御手段と、
を有することを特徴とする反射型表示装置。
（付記２）
前記制御手段は、前記抽出手段によって抽出した書込みラインに対するスキャン速度を他の書込みラインのスキャン速度より遅くすることを特徴とする付記１記載の反射型表示装置。
（付記３）
前記抽出手段は、前記画像データが前記走査電極に平行な方向に連続する黒表示の画像データを計数し、該計数値が閾値を超えた後白表示の画像データを検出したとき該白表示の画像データの画素の書込みラインを抽出することを特徴とする付記１、又は２記載の反射型表示装置。
（付記４）
前記抽出手段は、前記画像データが前記走査電極に平行な方向に連続する白表示の画像データを計数し、該計数値が閾値を超えた後黒表示の画像データを検出したとき該黒表示の画像データの画素の書込みラインを抽出することを特徴とする付記１、又は２記載の反射型表示装置。
（付記５）
前記白表示の画像データが連続する場合、スキャン速度を異ならせる書込みラインを１ライン以上とすることを特徴とする付記３記載の反射型表示装置。
（付記６）
前記黒表示の画像データが連続する場合、スキャン速度を異ならせる書込みラインを１ライン以上とすることを特徴とする付記４記載の反射型表示装置。
（付記７）
前記走査電極及び信号電極には、それぞれ２値の電圧が印加されることを特徴とする付記１乃至６記載の反射型表示装置。
（付記８）
前記走査電極と信号電極間にはコレステリック液晶が封入されていることを特徴とする付記１乃至７記載の反射型表示装置。
（付記９）
ＲＧＢの表示素子の積層構造を有することを特徴とする付記１乃至８記載の反射型表示装置。
（付記１０）
前記ＲＧＢの表示素子は、それぞれ個別に前記抽出手段、及び制御手段を有することを特徴とする付記９記載の反射型表示装置。
（付記１１）
前記ＲＧＢの表示素子に対する前記抽出手段による前記書き込みラインの抽出処理、及び制御手段によるスキャン速度の制御処理は、前記所定の表示状態に遷移しない前記画素が存在する色の表示素子に対して行うことを特徴とする付記１０記載の反射型表示装置。
（付記１２）
走査電極と信号電極がマトリクス状に配設され、前記走査電極と信号電極の交差部に画素が形成され、
前記走査電極の一部を選択状態のリセットライン及び書込みラインと、非選択状態の休止ラインにそれぞれ設定し、
前記リセットライン、休止ライン、及び書込みラインをそれぞれシフトさせながら、前記信号電極に画像データを供給する反射型表示装置の駆動方法であって、
前記画像データに基づいて所定の表示状態に遷移しない前記画素の書込みラインを抽出する抽出処理と、
前記抽出処理によって抽出された書込みラインに対するスキャン速度を他の書込みラインのスキャン速度と異ならせる制御処理と、
を行うことを特徴とする駆動方法。
（付記１３）
走査電極と信号電極がマトリクス状に配設され、前記走査電極と信号電極の交差部に画素が形成され、
前記走査電極の一部を選択状態のリセットライン及び書込みラインと、非選択状態の休止ラインにそれぞれ設定し、
前記リセットライン、休止ライン、及び書込みラインをそれぞれシフトさせながら、前記信号電極に画像データを供給する駆動部を複数有する表示パネルであって、
前記駆動部は、
前記画像データに基づいて所定の表示状態に遷移しない前記画素の書込みラインを抽出する抽出手段と、
前記抽出手段によって抽出した書込みラインに対するスキャン速度を他の書込みラインのスキャン速度と異ならせる制御手段と、
を有することを特徴とする表示パネル。
【符号の説明】
【００７５】
１      反射型表示装置
２      表示素子
３      コモンドライバ
４      セグメントドライバ
５      制御回路
６      電源部
７      源振クロック回路
８      分周回路
９      ラインメモリ
１０      画像データ
１１      電源
１２      昇圧部
１３      電圧切替部
１４      電圧安定部
２０、２１      フィルム基板
２０Ｂ、２１Ｂ、２０Ｇ、２１Ｇ、２０Ｒ、２１Ｒ      基板
２２、２３      ・ＩＴＯ電極
２２Ｂ、２３Ｂ、２２Ｇ、２３Ｇ、２２Ｒ、２３Ｒ      ＩＴＯ
２４      液晶混合物
２４Ｂ、２４Ｇ、２４Ｒ      液晶混合物
２５、２６      シール材
２７      吸収層
２８      駆動回路
２８Ｂ、２８Ｇ、２８Ｒ      駆動回路
【図１】
2011112813.tif 000003
【図３】
2011112813.tif 000004
【図１０】
2011112813.tif 000005
【図１１】
2011112813.tif 000006
【図１２】
2011112813.tif 000007
【図２】
2011112813.tif 000008
【図４】
2011112813.tif 000009
【図５】
2011112813.tif 000010
【図６】
2011112813.tif 000011
【図７】
2011112813.tif 000012
【図８】
2011112813.tif 000013
【図９】
2011112813.tif 000014
【図１３】
2011112813.tif 000015
【図１４】
2011112813.tif 000016